(57)【要約】【課題】印刷設定に要するユーザーの作業を従来よりも軽減させる技術を提供する。【解決手段】ユーザーの顔画像を取得する顔画像取得部（１０１）と、取得された顔画像に基づくユーザーの視認状態（視認状態データ）を取得する状態取得部（１０５、１０６）と、その視認状態に応じて、印刷にかかる条件である印刷条件の初期値を設定する設定部１０５と、を有する情報端末。【選択図】図２
2013235445.tif 000002
【特許請求の範囲】
【請求項１】
ユーザーの顔画像を取得する顔画像取得部と、
前記顔画像に基づく前記ユーザーの視認状態を取得する状態取得部と、
前記視認状態に応じて、印刷にかかる条件である印刷条件の初期値を設定する設定部と、
を有する情報端末。
【請求項２】
設定された前記初期値を表示する表示部を有する、請求項１に記載の情報端末。
【請求項３】
前記表示部は、
前記視認状態に応じて、印刷条件の項目の表示態様を異ならせる、請求項２に記載の情報端末。
【請求項４】
前記視認状態が所定の状態である場合に、前記設定部による初期値の設定を行うか否かについて指示を受け付ける設定指示受付部を有する、請求項１〜３のいずれか一項に記載の情報端末。
【請求項５】
前記視認状態は、ユーザーが老視状態である確率を含み、
前記設定指示受付部は、
前記確率が所定の閾値以上の場合に、前記指示を受け付け、
前記確率が前記閾値未満の場合には、前記指示を受け付けない、請求項４に記載の情報端末。
【請求項６】
前記設定部は、
前記設定指示受付部で初期値の設定を行う指示を受け付けた場合に、ズーム、コントラスト、およびエッジ強調の少なくともいずれかの印刷条件について、初期値を設定する、請求項５に記載の情報端末。
【請求項７】
前記視認状態は、ユーザーが若年層の標準的な視状態にある確率を含み、
前記設定指示受付部は、
前記確率が所定の閾値以上の場合に、前記指示を受け付け、
前記確率が前記閾値未満の場合には、前記指示を受け付けない、請求項４に記載の情報端末。
【請求項８】
前記設定部は、
前記設定指示受付部で初期値の設定を行う指示を受け付けた場合に、印刷種類、ページ割付、トナー節約、およびカラーの少なくともいずれかの印刷条件について、初期値を設定する、請求項７に記載の情報端末。
【請求項９】
前記設定指示受付部で受け付けた指示結果を送信する送信部を有する、請求項４〜８のいずれか一項に記載の情報端末。
【請求項１０】
印刷目的が配布用か否かの指定を受け付ける目的受付部を有し、
前記設定部は、
前記印刷目的が配布用ではない場合には、前記視認状態に応じて、印刷条件の初期値を設定し、
前記印刷目的が配布用である場合には、前記視認状態に関わらず、通常の印刷条件の初期値として固定値を設定する、請求項１〜９のいずれか一項に記載の情報端末。
【請求項１１】
ユーザーの顔画像を取得する顔画像取得ステップと、
前記顔画像に基づく前記ユーザーの視認状態を取得する状態取得ステップと、
前記視認状態に応じて、印刷にかかる条件である印刷条件の初期値を設定する設定ステップと、
をコンピューターに実行させる印刷設定プログラム。
【請求項１２】
前記設定ステップで設定された初期値を表示する表示ステップを、前記コンピューターにさらに実行させる請求項１１に記載の印刷設定プログラム。
【請求項１３】
前記表示ステップでは、
前記視認状態に応じて、印刷条件の項目の表示態様を異ならせる、請求項１２に記載の印刷設定プログラム。
【請求項１４】
前記視認状態が所定の状態である場合に、前記設定ステップで初期値の設定を行うか否かについて指示を受け付ける設定指示受付ステップを、前記コンピューターにさらに実行させる、請求項１１〜１３のいずれか一項に記載の印刷設定プログラム。
【請求項１５】
前記視認状態は、ユーザーが老視状態である確率を含み、
前記設定指示受付ステップでは、
前記確率が所定の閾値以上の場合に、前記指示を受け付け、
前記確率が前記閾値未満の場合には、前記指示を受け付けない、請求項１４に記載の印刷設定プログラム。
【請求項１６】
前記設定ステップでは、
前記設定指示受付ステップで初期値の設定を行う指示を受け付けた場合に、ズーム、コントラスト、およびエッジ強調の少なくともいずれかの印刷条件について、初期値を設定する、請求項１５に記載の印刷設定プログラム。
【請求項１７】
前記視認状態は、ユーザーが若年層の標準的な視状態にある確率を含み、
前記設定指示受付ステップでは、
前記確率が所定の閾値以上の場合に、前記指示を受け付け、
前記確率が前記閾値未満の場合には、前記指示を受け付けない、請求項１４に記載の印刷設定プログラム。
【請求項１８】
前記設定ステップでは、
前記設定指示受付ステップで初期値の設定を行う指示を受け付けた場合に、印刷種類、ページ割付、トナー節約、およびカラーの少なくともいずれかの印刷条件について、初期値を設定する、請求項１７に記載の印刷設定プログラム。
【請求項１９】
前記設定指示受付ステップで受け付けた指示結果を送信する送信ステップを、前記コンピューターに実行させる、請求項１４〜１８のいずれか一項に記載の印刷設定プログラム。
【請求項２０】
印刷目的が配布用か否かの指定を受け付ける目的受付ステップを行い、
前記設定ステップでは、
前記印刷目的が配布用ではない場合には、前記視認状態に応じて、印刷条件の初期値を設定し、
前記印刷目的が配布用である場合には、前記視認状態に関わらず、通常の印刷条件の初期値として固定値を設定する、請求項１１〜１９のいずれか一項に記載の印刷設定プログラム。
【請求項２１】
情報端末と、サーバーと、印刷装置と、を有する印刷システムであって、
前記情報端末は、
ユーザーの顔画像を取得する顔画像取得部と、
前記顔画像を用いて前記ユーザーの特徴を推定する特徴推定部と、
前記特徴を示す特徴データを、前記サーバーに送信する第１送信部と、を有し、
前記サーバーは、
前記特徴データを受信する第１受信部と、
前記特徴データに基づいて前記ユーザーの視認状態を特定する状態特定部と、
前記視認状態を示す状態データを、前記情報端末に送信する第２送信部と、を有し、
前記情報端末は、
前記状態データを受信する第２受信部と、
前記視認状態に応じて、印刷にかかる条件である印刷条件の初期値を設定する設定部と、
前記設定部で設定された前記印刷条件に基づき、前記印刷装置の印刷を制御する印刷制御部と、を有し、
前記印刷装置は、
前記印刷制御部による制御に従って、印刷を実行する印刷実行部、を有する、印刷システム。
【請求項２２】
前記情報端末は、
前記視認状態が所定の状態である場合に、前記設定部による初期値の設定を行うか否かについて指示を受け付ける設定指示受付部と、
前記設定指示受付部で受け付けた指示結果を示す指示データを、前記サーバーに送信する第３送信部と、をさらに有し、
前記サーバーは、
前記情報端末から送信された前記指示データを受信する第３受信部と、
前記第１受信部で受信された前記特徴データと、前記第３受信部で受信された前記指示データと、をユーザーごとに対応づけて記憶する記憶部と、を有し、
前記状態特定部は、
前記記憶部に記憶された前記特徴データと前記指示データの関係性に基づいて前記視認状態を特定する、請求項２１に記載の印刷システム。
【請求項２３】
前記情報端末は、
印刷目的が配布用か否かの指定を受け付ける目的受付部を有し、
前記設定部は、
前記印刷目的が配布用ではない場合には、前記視認状態に応じて、印刷条件の初期値を設定し、
前記印刷目的が配布用である場合には、前記視認状態に関わらず、通常の印刷条件の初期値として固定値を設定する、請求項２１または２２に記載の印刷システム。
【請求項２４】
ユーザーの顔画像を取得する顔画像取得部と、
前記顔画像を用いて前記ユーザーの特徴を推定する特徴推定部と、
前記特徴データに基づいて前記ユーザーの視認状態を特定する状態特定部と、
前記視認状態に応じて、印刷にかかる条件である印刷条件の初期値を設定する設定部と、
を有する印刷装置。
【請求項２５】
請求項１１〜２０のいずれかに記載の印刷設定プログラムを記憶したコンピューター読み取り可能な記録媒体。
【発明の詳細な説明】
【技術分野】
【０００１】
本発明は、情報端末、印刷設定プログラム、印刷システム、および印刷設定プログラムを記録した記録媒体に関し、特に、印刷設定を容易にする技術に関する。
【背景技術】
【０００２】
近年、印刷装置（たとえば、プリンター）の高機能化に伴い、ユーザーが自由に印刷設定できる項目（以下では「印刷設定項目」ともいう）は細分化してきている。その分、印刷設定に要するユーザーの作業は煩雑になっている。
【０００３】
そこで、印刷装置などに設けられる操作パネルの操作性を向上させる技術が開発されてきている。
【０００４】
たとえば、ユーザーの顔画像から年齢等を推定し、その推定結果に基づいて操作パネルに表示する文字の大きさを変更する技術がある（特許文献１）。
【０００５】
また、ユーザーの顔の位置を検出し、そのユーザーが操作しやすいように操作パネルの角度を変更する技術や（特許文献２）、ユーザーの顔画像に基づいて操作パネルのレイアウトを変更する技術（特許文献３）、などもある。
【先行技術文献】
【特許文献】
【０００６】
【特許文献１】特開２００６−０２３９５３号公報
【特許文献２】特開２０１０−１４９４１４号公報
【特許文献３】特開２００５−２６６４２１号公報
【発明の概要】
【発明が解決しようとする課題】
【０００７】
しかし、上記のように操作パネルの操作性を向上させても、印刷設定に要するユーザーの作業が直接的に軽減されるとは限らない。
【０００８】
たとえば、ユーザーの年齢に応じて操作パネルに表示する文字の大きさを変更したとしても、ユーザーは、膨大にある印刷設定項目の中から、変更したい項目を探しだして、その初期値（デフォルト値）を手作業によって変更しなければならない。
【０００９】
また、同年齢であっても視認状態が異なるユーザー（たとえば、年齢はそれほど高くなくても老視で見えにくい状態のユーザー）などもいるため、一部のユーザーしか印刷設定の作業が軽減されないという問題もある。
【００１０】
本発明は、上記事情に鑑みてなされたものであり、印刷設定に要するユーザーの作業を従来よりも軽減させる情報端末、印刷設定プログラム、印刷システム、および印刷設定プログラムを記録した記録媒体を提供することを目的とする。
【課題を解決するための手段】
【００１１】
（１）ユーザーの顔画像を取得する顔画像取得部と、前記顔画像に基づく前記ユーザーの視認状態を取得する状態取得部と、前記視認状態に応じて、印刷にかかる条件である印刷条件の初期値を設定する設定部と、を有する情報端末。
【００１２】
（２）設定された前記初期値を表示する表示部を有する、（１）に記載の情報端末。
【００１３】
（３）前記表示部は、前記視認状態に応じて、印刷条件の項目の表示態様を異ならせる、（２）に記載の情報端末。
【００１４】
（４）前記視認状態が所定の状態である場合に、前記設定部による初期値の設定を行うか否かについて指示を受け付ける設定指示受付部を有する、（１）〜（３）のいずれかに記載の情報端末。
【００１５】
（５）前記視認状態は、ユーザーが老視状態である確率を含み、前記設定指示受付部は、前記確率が所定の閾値以上の場合に、前記指示を受け付け、前記確率が前記閾値未満の場合には、前記指示を受け付けない、（４）に記載の情報端末。
【００１６】
（６）前記設定部は、前記設定指示受付部で初期値の設定を行う指示を受け付けた場合に、ズーム、コントラスト、およびエッジ強調の少なくともいずれかの印刷条件について、初期値を設定する、（５）に記載の情報端末。
【００１７】
（７）前記視認状態は、ユーザーが若年層の標準的な視状態にある確率を含み、前記設定指示受付部は、前記確率が所定の閾値以上の場合に、前記指示を受け付け、前記確率が前記閾値未満の場合には、前記指示を受け付けない、（４）に記載の情報端末。
【００１８】
（８）前記設定部は、前記設定指示受付部で初期値の設定を行う指示を受け付けた場合に、印刷種類、ページ割付、トナー節約、およびカラーの少なくともいずれかの印刷条件について、初期値を設定する、（７）に記載の情報端末。
【００１９】
（９）前記設定指示受付部で受け付けた指示結果を送信する送信部を有する、（４）〜（８）のいずれかに記載の情報端末。
【００２０】
（１０）印刷目的が配布用か否かの指定を受け付ける目的受付部を有し、前記設定部は、前記印刷目的が配布用ではない場合には、前記視認状態に応じて、印刷条件の初期値を設定し、前記印刷目的が配布用である場合には、前記視認状態に関わらず、通常の印刷条件の初期値として固定値を設定する、（１）〜（９）のいずれかに記載の情報端末。
【００２１】
（１１）ユーザーの顔画像を取得する顔画像取得ステップと、前記顔画像に基づく前記ユーザーの視認状態を取得する状態取得ステップと、前記視認状態に応じて、印刷にかかる条件である印刷条件の初期値を設定する設定ステップと、をコンピューターに実行させる印刷設定プログラム。
【００２２】
（１２）前記設定ステップで設定された初期値を表示する表示ステップを、前記コンピューターにさらに実行させる（１１）に記載の印刷設定プログラム。
【００２３】
（１３）前記表示ステップでは、前記視認状態に応じて、印刷条件の項目の表示態様を異ならせる、（１２）に記載の印刷設定プログラム。
【００２４】
（１４）前記視認状態が所定の状態である場合に、前記設定ステップで初期値の設定を行うか否かについて指示を受け付ける設定指示受付ステップを、前記コンピューターにさらに実行させる、（１１）〜（１３）のいずれかに記載の印刷設定プログラム。
【００２５】
（１５）前記視認状態は、ユーザーが老視状態である確率を含み、前記設定指示受付ステップでは、前記確率が所定の閾値以上の場合に、前記指示を受け付け、前記確率が前記閾値未満の場合には、前記指示を受け付けない、（１４）に記載の印刷設定プログラム。
【００２６】
（１６）前記設定ステップでは、前記設定指示受付ステップで初期値の設定を行う指示を受け付けた場合に、ズーム、コントラスト、およびエッジ強調の少なくともいずれかの印刷条件について、初期値を設定する、（１５）に記載の印刷設定プログラム。
【００２７】
（１７）前記視認状態は、ユーザーが若年層の標準的な視状態にある確率を含み、前記設定指示受付ステップでは、前記確率が所定の閾値以上の場合に、前記指示を受け付け、前記確率が前記閾値未満の場合には、前記指示を受け付けない、（１４）に記載の印刷設定プログラム。
【００２８】
（１８）前記設定ステップでは、前記設定指示受付ステップで初期値の設定を行う指示を受け付けた場合に、印刷種類、ページ割付、トナー節約、およびカラーの少なくともいずれかの印刷条件について、初期値を設定する、（１７）に記載の印刷設定プログラム。
【００２９】
（１９）前記設定指示受付ステップで受け付けた指示結果を送信する送信ステップを、前記コンピューターに実行させる、（１４）〜（１８）のいずれかに記載の印刷設定プログラム。
【００３０】
（２０）印刷目的が配布用か否かの指定を受け付ける目的受付ステップを行い、前記設定ステップでは、前記印刷目的が配布用ではない場合には、前記視認状態に応じて、印刷条件の初期値を設定し、前記印刷目的が配布用である場合には、前記視認状態に関わらず、通常の印刷条件の初期値として固定値を設定する、（１１）〜（１９）のいずれかに記載の印刷設定プログラム。
【００３１】
（２１）情報端末と、サーバーと、印刷装置と、を有する印刷システムであって、前記情報端末は、ユーザーの顔画像を取得する顔画像取得部と、前記顔画像を用いて前記ユーザーの特徴を推定する特徴推定部と、前記特徴を示す特徴データを、前記サーバーに送信する第１送信部と、を有し、前記サーバーは、前記特徴データを受信する第１受信部と、前記特徴データに基づいて前記ユーザーの視認状態を特定する状態特定部と、前記視認状態を示す状態データを、前記情報端末に送信する第２送信部と、を有し、前記情報端末は、前記状態データを受信する第２受信部と、前記視認状態に応じて、印刷にかかる条件である印刷条件の初期値を設定する設定部と、前記設定部で設定された前記印刷条件に基づき、前記印刷装置の印刷を制御する印刷制御部と、を有し、前記印刷装置は、前記印刷制御部による制御に従って、印刷を実行する印刷実行部、を有する、印刷システム。
【００３２】
（２２）前記情報端末は、前記視認状態が所定の状態である場合に、前記設定部による初期値の設定を行うか否かについて指示を受け付ける設定指示受付部と、前記設定指示受付部で受け付けた指示結果を示す指示データを、前記サーバーに送信する第３送信部と、をさらに有し、前記サーバーは、前記情報端末から送信された前記指示データを受信する第３受信部と、前記第１受信部で受信された前記特徴データと、前記第３受信部で受信された前記指示データと、をユーザーごとに対応づけて記憶する記憶部と、を有し、前記状態特定部は、前記記憶部に記憶された前記特徴データと前記指示データの関係性に基づいて前記視認状態を特定する、（２１）に記載の印刷システム。
【００３３】
（２３）前記情報端末は、印刷目的が配布用か否かの指定を受け付ける目的受付部を有し、前記設定部は、前記印刷目的が配布用ではない場合には、前記視認状態に応じて、印刷条件の初期値を設定し、前記印刷目的が配布用である場合には、前記視認状態に関わらず、通常の印刷条件の初期値として固定値を設定する、（２１）または（２２）に記載の印刷システム。
【００３４】
（２４）ユーザーの顔画像を取得する顔画像取得部と、前記顔画像を用いて前記ユーザーの特徴を推定する特徴推定部と、前記特徴データに基づいて前記ユーザーの視認状態を特定する状態特定部と、前記視認状態に応じて、印刷にかかる条件である印刷条件の初期値を設定する設定部と、を有する印刷装置。
【００３５】
（２５）（１１）〜（２０）のいずれかに記載の印刷設定プログラムを記憶したコンピューター読み取り可能な記録媒体。
【発明の効果】
【００３６】
本発明によれば、ユーザーごとに視認状態を取得し、その視認状態に応じて印刷条件の初期値（デフォルト値）を異ならせることができる。これにより、ユーザーが手作業で設定し直す必要のある印刷条件の項目数や操作回数は減り、印刷設定に要するユーザーの作業は、従来よりも軽減される。
【００３７】
上記した以外の課題、構成、および効果は、以下の実施形態の説明により明らかにされる。
【図面の簡単な説明】
【００３８】
【図１】本発明の第１実施形態にかかる印刷システムの一例を示す図である。
【図２】第１実施形態にかかる印刷システムの機能構成例を示す図である。
【図３】（Ａ）は年齢によるユーザーの分類例を示す図であり、（Ｂ）は性別によるユーザーの分類例を示す図であり、（Ｃ）は距離によるユーザーの分類例を示す図である。
【図４】（Ａ）は特徴データの概略データ構造の一例を示す図であり、（Ｂ）は指示結果データの概略データ構造の一例を示す図であり、（Ｃ）は印刷設定データの概略データ構造の一例を示す図である。
【図５】第１実施形態にかかる集計データの概略データ構造の一例を示す図である。
【図６】第１実施形態にかかる統計データの概略データ構造の一例を示す図である。
【図７】第１実施形態にかかる視認状態データの概略データ構造の一例を示す図である。
【図８】第１実施形態にかかる印刷設定処理の一例を示すフローチャートである。
【図９】（Ａ）は通知画面の一例を示す図であり、（Ｂ）は第１実施形態にかかるおすすめ印刷設定画面の一例を示す図であり、（Ｃ）は通常印刷設定画面の一例を示す図である。
【図１０】視認状態特定処理の一例を示すフローチャートである。
【図１１】統計データ蓄積処理の一例を示すフローチャートである。
【図１２】第２実施形態にかかる印刷設定処理の一例を示すフローチャートである。
【図１３】（Ａ）は年齢データの概略データ構造の一例を示す図であり、（Ｂ）は第２実施形態にかかる視認状態データの概略データ構造の一例を示す図である。
【図１４】若年層のユーザー向けの印刷設定画面例を示す図である。
【発明を実施するための形態】
【００３９】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００４０】
（第１実施形）
＜システム全体＞
図１は、本発明の第１実施形態にかかる印刷システム１の一例を示す図である。図示するように、印刷システム１は、情報端末１００と、管理サーバー２００と、印刷装置３００と、を含む。
【００４１】
印刷システム１では、印刷装置３００で実行される印刷についての設定を、情報端末１００で行うことができる。ただし、ユーザーの視認状態によって、要求される印刷条件の設定値は異なるため、本実施形態の情報端末１００は、ユーザーの視認状態に適した値を印刷条件の初期値として設定する。これにより、ユーザーは情報端末１００で設定された初期値をそのまま印刷時の設定値として利用できるので、印刷条件の設定にかかる作業は軽減される。
【００４２】
情報端末１００、管理サーバー２００および印刷装置３００は、ネットワーク（有線、無線を含む）を介して相互に通信可能に接続される。なお、ここでのネットワークには、ＬＡＮ（Ｌｏｃａｌ  Ａｒｅａ  Ｎｅｔｗｏｒｋ）等が含まれる。
【００４３】
情報端末１００は、ユーザーによって携帯されるモバイルコンピューターであり、たとえば、携帯電話、スマートフォン、ＰＤＡ、タブレット型コンピューターなどでよい。
【００４４】
また、管理サーバー２００は、情報端末１００のユーザーに関する統計データを管理するサーバーコンピューターである。また、管理サーバー２００は、統計データに基づいて、ユーザーの視認状態を把握できる。
【００４５】
また、印刷装置３００は、たとえば、画像を記録紙に印刷するプリント機能を有するプリンターである。
【００４６】
もちろん、印刷装置３００は、プリント機能を有している機器であればプリンターに限られず、たとえば、複合機であってもよい。
【００４７】
＜機能構成例＞
図２は、印刷システム１の機能構成例を示す図である。
【００４８】
＜情報端末１００の機能構成例＞
図示するように、情報端末１００は、撮像部１０１と、特徴抽出部１０２と、表示部１０３と、入力部１０４と、印刷設定部１０５と、通信部１０６と、を有する。
【００４９】
ここで、機能ブロックにより示される各機能部は、たとえば、情報端末１００に備えられるＣＰＵ（ｃｅｎｔｒａｌ  ｐｒｏｃｅｓｓｉｎｇ  ｕｎｉｔ）が、ＲＯＭ（ｒｅａｄ−ｏｎｌｙ  ｍｅｍｏｒｙ）やフラッシュメモリーなどに格納された所定のプログラムを、ＲＡＭ（ｒａｎｄｏｍ−ａｃｃｅｓｓ  ｍｅｍоｒｙ）に読み出して実行することにより実現される。
【００５０】
撮像部１０１は、情報端末１００に備わるカメラを制御して、ユーザーの顔などの被写体を撮影する。こうして、撮像部１０１は、ユーザーの顔画像を取得できる。
【００５１】
特徴抽出部１０２は、ユーザーの顔画像を用いて、ユーザーの特徴を抽出する。具体的には、図示するように、特徴抽出部１０２は、年齢推定部１２１と、性別推定部１２２と、距離推定部１２３と、を有し、ユーザーの年齢、性別、距離（すなわち、ユーザーの顔と情報端末１００の間の距離）を推定する。
【００５２】
表示部１０３は、ディスプレイ、タッチパネルなどを制御して、各種メッセージ、各種画面を表示する。たとえば、表示部１０３は、変更可能な印刷条件（印刷にかかる条件）を項目に分けて一覧表示する。以下では、ここで一覧表示される画面を「印刷設定画面」とよぶ。なお、印刷条件には、たとえば、印刷用紙のサイズを指定する印刷条件、印刷用紙の種類を指定する印刷条件、フルカラー印刷、２色・単色カラー印刷、モノクロ印刷を指定する印刷条件、印刷させる部数を指定する印刷条件、などが含まれる。
【００５３】
入力部１０４は、入力ボタン、タッチパネルなどを制御して、ユーザーからの指示を受け付ける。たとえば、入力部１０４は、印刷条件の初期値（デフォルト値）を変更するか否かについての指示を受け付ける。また、入力部１０４は、印刷条件の値（設定値）を指定する指示を受け付けることもできる。
【００５４】
印刷設定部１０５は、印刷装置３００で行われる印刷の設定を行う。たとえば、印刷設定部１０５は、上述した印刷設定画面を表示部１０３に表示させた状態で、入力部１０４を介したユーザーによる指示を受け付け、当該指示に基づいて印刷条件の値を設定する。
【００５５】
通信部１０６は、管理サーバー２００や印刷装置３００と通信を行うインターフェイスである。たとえば、通信部１０６は、ネットワーク接続やＵＳＢ接続により管理サーバー２００と接続し、各種データ（後述する特徴データ４００、指示結果データ５００、印刷設定データ６００、視認状態データ９００）の送受信を行う。また、通信部１０６は、ネットワーク接続やＵＳＢ接続により印刷装置３００と接続し、印刷ジョブを印刷装置３００に対して送信する。
【００５６】
＜管理サーバー２００の機能構成例＞
次に、管理サーバー２００の機能構成について説明する。図示するように、管理サーバー２００は、通信部２０１と、視認状態予測部２０２と、統計情報記憶部２０３と、を有する。
【００５７】
ここで、機能ブロックにより示される各機能部は、たとえば、管理サーバー２００に備えられるＣＰＵが、ＲＯＭやハードディスクなどに格納された所定のプログラムを、ＲＡＭに読み出して実行することにより実現される。
【００５８】
通信部２０１は、情報端末１００と通信を行うインターフェイスである。たとえば、通信部２０１は、ネットワーク接続やＵＳＢ接続により情報端末１００と接続し、各種データ（後述する特徴データ４００、指示結果データ５００、印刷設定データ６００、視認状態データ９００）の送受信を行う。
【００５９】
視認状態予測部２０２は、情報端末１００の特徴抽出部１０２で推定されたユーザーの特徴（たとえば、年齢、性別、距離）に基づいて、ユーザーの視認状態を予測する。
【００６０】
ここで、ユーザーの視認状態は、ユーザーが老視状態である確率を含む。
【００６１】
統計情報記憶部２０３は、情報端末１００の特徴抽出部１０２で抽出（推定）されたユーザーの特徴（たとえば、年齢、性別、距離）を記憶する。これとともに、統計情報記憶部２０３は、印刷条件の初期値（デフォルト値）を変更するか否かについてのユーザーの指示結果と、情報端末１００で設定された各印刷条件の設定値（「印刷設定値」ともいう）と、を記憶する。ここで、統計情報記憶部２０３により記憶されるデータは、後述する集計データ７００のように整理される。
【００６２】
また、統計情報記憶部２０３は、ユーザーの視認状態にかかる統計データ（たとえば、ユーザーの特徴と、老視である確率と、の関係性を示す情報）を記憶する。ここで、統計情報記憶部２０３により記憶されるデータは、後述する統計データ８００のように整理される。
【００６３】
なお、統計情報記憶部２０３は、たとえば、ＲＡＭ、ＲＯＭ、フラッシュメモリー、ＨＤＤなどにより実現される。
【００６４】
＜印刷装置３００の機能構成例＞
次に、印刷装置３００の機能構成について説明する。図示するように、印刷装置３００は、通信部３０１と、印刷実行部３０２と、を有する。
【００６５】
ここで、機能ブロックにより示される各機能部は、たとえば、印刷装置３００に備えられるＣＰＵが、ＲＯＭやフラッシュメモリーなどに格納された所定のプログラムを、ＲＡＭに読み出して実行することにより実現される。
【００６６】
通信部３０１は、情報端末１００と通信を行うインターフェイスである。たとえば、通信部３０１は、ネットワーク接続やＵＳＢ接続により情報端末１００と接続し、情報端末１００から送信された印刷ジョブを受信する。
【００６７】
印刷実行部３０２は、印刷ジョブに含まれる画像データを電子写真プロセスによって記録紙上に印刷する。たとえば、印刷実行部３０２は、記録紙の搬送装置、感光体ドラム、帯電装置、ＬＤ（Ｌａｓｅｒ  Ｄｉｏｄｅ）、走査ユニット、現像装置、転写分離装置、クリーニング装置、定着装置、などを有するレーザープリンターとして構成される。
【００６８】
もちろん、印刷実行部３０２は、レーザープリンターに限定されず、インクジェット方式などその他の方式のプリンターとして構成されてもよい。
【００６９】
＜情報端末１００の特徴抽出部１０２の詳細＞
次に、情報端末１００の年齢推定部１２１、性別推定部１２２、距離推定部１２３について、より詳細に説明する。
【００７０】
図３はユーザーの特徴の分類例を示す図であり、（Ａ）は年齢の分類例、（Ｂ）は性別の分類例、（Ｃ）は距離の分類例をそれぞれ示す。
【００７１】
年齢推定部１２１は、ユーザーの顔画像を解析して、そのユーザーの年齢を推定する。たとえば、年齢推定部１２１は、年齢層ごとに分類された分類表を用意しておき、顔画像の解析結果に応じて、ユーザーがいずれの年齢層に属するのか決定する。
【００７２】
年齢推定部１２１は、図３（Ａ）に示すように、ユーザーが、４０歳未満の年齢層、４０歳以上５０歳未満の年齢層、５０歳以上６０歳未満の年齢層、６０歳以上の年齢層、のいずれの年齢層に属するのか決定する。
【００７３】
また、性別推定部１２２は、ユーザーの顔画像を解析して、そのユーザーの性別を推定する。たとえば、性別推定部１２２は、性別ごとに分類された分類表を用意しておき、顔画像の解析結果に応じて、ユーザーがいずれの性別に属するのか決定する。
【００７４】
性別推定部１２２は、図３（Ｂ）に示すように、ユーザーが、男性、女性、のいずれの性別に属するのか決定する。
【００７５】
また、距離推定部１２３は、ユーザーの顔画像を解析して、そのユーザーの顔と情報端末１００の距離を推定する。たとえば、距離推定部１２３は、距離の程度ごとに分類された分類表を用意しておき、顔画像の解析結果に応じて、ユーザーの顔と情報端末１００の距離がいずれの程度に属するのか決定する。
【００７６】
距離推定部１２３は、図３（Ｃ）に示すように、ユーザーの顔と情報端末１００の距離が、近距離、中距離、遠距離、のいずれの程度に属するのか決定する。
【００７７】
なお、年齢推定部１２１、性別推定部１２２、距離推定部１２３は、顔画像に対してエッジ検出などの処理を施すことによって、ユーザーの髪、目、鼻、口などの部位を特定し、その部位の位置、サイズ、形状、色などからユーザーの年齢、性別、距離を推定するものとする。ただし、本発明は、ユーザーの年齢、性別、距離を推定する方法について特に限定するものではない。
【００７８】
＜特徴データ４００のデータ構造＞
次に、情報端末１００の通信部１０６が管理サーバー２００へ送信する特徴データ４００について、より詳細に説明する。
【００７９】
図４は各種データの概略データ構造の一例を示す図であり、（Ａ）は特徴データ、（Ｂ）は指示結果データ、（Ｃ）は印刷設定データの概略データ構造を示す。
【００８０】
図４（Ａ）に示すように、特徴データ４００は、識別情報（ＩＤ）４１０と、年齢４２０と、性別４３０と、距離４４０と、が少なくとも対応付けられたレコード４５０を含む。
【００８１】
ここで、識別情報４１０は、特徴データ４００を管理サーバー２００へ送信する情報端末１００およびユーザーの少なくともいずれかを識別する情報である。
【００８２】
年齢４２０は、年齢推定部１２１によって推定されたユーザーの年齢層を示すデータである。性別４３０は、性別推定部１２２によって推定されたユーザーの性別を示すデータである。距離４４０は、距離推定部１２３によって推定された距離（すなわち、ユーザーの顔と情報端末１００の距離）の程度を示すデータである。
【００８３】
＜指示結果データ５００のデータ構造＞
次に、情報端末１００の通信部１０６が管理サーバー２００へ送信する指示結果データ５００について、より詳細に説明する。
【００８４】
図４（Ｂ）に示すように、指示結果データ５００は、識別情報（ＩＤ）５１０と、指示結果５２０と、が少なくとも対応付けられたレコード５３０を含む。
【００８５】
ここで、識別情報５１０は、指示結果データ５００を管理サーバー２００へ送信する情報端末１００およびユーザーの少なくともいずれかを識別する情報である。
【００８６】
指示結果５２０は、印刷条件の初期値（デフォルト値）を変更するか否かについてのユーザーの指示内容を示すデータである。
【００８７】
＜印刷設定データ６００のデータ構造＞
次に、情報端末１００の通信部１０６が管理サーバー２００へ送信する印刷設定データ６００について、より詳細に説明する。
【００８８】
図４（Ｃ）に示すように、印刷設定データ６００は、識別情報（ＩＤ）６１０と、印刷設定値６２０と、が少なくとも対応付けられたレコード６３０を含む。
【００８９】
ここで、識別情報６１０は、印刷設定データ６００を管理サーバー２００へ送信する情報端末１００およびユーザーの少なくともいずれかを識別する情報である。
【００９０】
印刷設定値６２０は、情報端末１００の印刷設定部１０５によって設定された各印刷条件の値を示すデータである。
【００９１】
＜集計データ７００のデータ構造＞
次に、管理サーバー２００の統計情報記憶部２０３に記憶される集計データ７００について、より詳細に説明する。
【００９２】
図５は、集計データ７００の概略データ構造の一例を示す図である。
【００９３】
図示するように、集計データ７００は、情報端末１００およびユーザーの少なくともいずれかを識別する識別情報ごとのレコード７７０からなる。各レコード７７０は、特徴データ４００が管理サーバー２００に送られてきた場合にエントリーされる。各レコード７７０には、特徴データ４００に含まれていたデータ（すなわち、識別情報４１０、年齢４２０、性別４３０、距離４４０）と、指示結果データ５００に含まれていたデータ（すなわち、指示結果５２０）と、印刷設定データ６００に含まれていたデータ（すなわち、印刷設定値６２０）と、が識別情報（４１０、５１０、６１０）をキーとして対応付けられる。
【００９４】
したがって、図示する識別情報（ＩＤ）７１０、年齢７２０、性別７３０、距離７４０は、それぞれ、特徴データ４００に含まれていた識別情報４１０、年齢４２０、性別４３０、距離４４０に相当するデータである。
【００９５】
また、図示する指示結果７５０は、指示結果データ５００に含まれていた指示結果５２０に相当するデータである。
【００９６】
また、図示する印刷設定値７６０は、印刷設定データ６００に含まれていた印刷設定値６２０に相当するデータである。
【００９７】
＜統計データ８００のデータ構造＞
次に、管理サーバー２００の統計情報記憶部２０３に記憶される統計データ８００について、より詳細に説明する。
【００９８】
図６は、統計データ８００の概略データ構造の一例を示す図である。
【００９９】
図示するように、統計データ８００は、年齢８１０、性別８２０、距離８３０、の各値の組み合わせごとに、ユーザーが老視である確率８４０を有している。図示する例では、年齢８１０が「６０歳以上」であり、性別８２０が「男性」であり、距離８３０が「近距離」である場合に、ユーザーが老視である確率８４０として「８７％」が格納されている。
【０１００】
ここで、図示する年齢８１０は、図３（Ａ）に示す各年齢層を含んでいる。また、性別８２０は、年齢８１０の年齢層ごとに、図３（Ｂ）に示す各性別を含んでいる。また、距離８３０は、性別８２０の性別ごとに、図３（Ｃ）に示す各距離の程度を含んでいる。
【０１０１】
また、確率８４０は、距離８３０の程度ごとに、ユーザーが老視である確率を含んでいる。
【０１０２】
ここで、第１実施形態では、印刷条件の初期値を変更する指示をしたユーザーは老視であると判定するものとする。
【０１０３】
そのため、確率８４０には、同一の特徴（年齢８１０、性別８２０、距離８３０）をもつユーザー（数）のうち、印刷条件の初期値を変更する指示をしたユーザー（数）の割合が格納される。
【０１０４】
＜視認状態データ９００のデータ構造＞
次に、管理サーバー２００の通信部２０１が情報端末１００へ送信する視認状態データ９００について、より詳細に説明する。
【０１０５】
図７は、視認状態データ９００の概略データ構造の一例を示す図である。
【０１０６】
図示するように、視認状態データ９００は、識別情報（ＩＤ）９１０と、老視の確率９２０と、が少なくとも対応付けられたレコード９３０を含む。
【０１０７】
ここで、識別情報９１０は、視認状態データ９００の送信先である情報端末１００およびユーザーの少なくともいずれかを識別する情報である。
【０１０８】
老視の確率９２０は、管理サーバー２００の視認状態予測部２０２によって求められた、ユーザーが老視である確率８４０に相当するデータである。
【０１０９】
＜第１実施形態の印刷設定処理＞
次に、本発明の第１実施形態における、上記構成からなる印刷システム１の特徴的な動作について説明する。
【０１１０】
図８は、第１実施形態の情報端末１００で行われる印刷設定処理の一例を示すフローチャートである。図９は、情報端末の画面の表示例を示す図であり、（Ａ）は通知画面の画面例、（Ｂ）はおすすめ印刷設定画面、（Ｃ）は通常の印刷設定画面の一例を示す図である。
【０１１１】
情報端末１００の印刷設定部１０５は、入力部１０４を介してユーザーから印刷設定を開始する指示を受け付けると、本フローを開始する。
【０１１２】
本フローが開始されると、印刷設定部１０５は、印刷目的の指定（たとえば、自分用または配布用）を受け付けるための画面を表示部１０３に表示させる（ステップＳ１０１）。
【０１１３】
そして、印刷設定部１０５は、入力部１０４を介してユーザーから入力された印刷目的の指定が配布印刷用か判断する（ステップＳ１０２）。
【０１１４】
印刷設定部１０５は、ユーザーに指定された印刷目的が配布用である場合には（ステップＳ１０２：Ｙｅｓ）、処理をステップＳ１１４へ移行する。
【０１１５】
一方、印刷設定部１０５は、ユーザーに指定された印刷目的が配布用ではない場合（たとえば、自分用の場合）には（ステップＳ１０２：Ｎｏ）、処理をステップＳ１０３へ移行する。
【０１１６】
処理がステップ１０３へ移行すると、撮像部１０１は、ユーザーの顔画像を取得する（ステップＳ１０３）。たとえば、ステップＳ１０３において、撮像部１０１は、カメラを制御してユーザーの顔を撮像し、撮像して得られた画像を所定の記憶装置（たとえば、ＲＡＭ）に記憶する。
【０１１７】
次に、特徴抽出部１０２は、取得された顔画像に基づいて、ユーザーの特徴を推定（抽出）する（ステップＳ１０４）。たとえば、ステップＳ１０４において、特徴抽出部１０２の年齢推定部１２１は、図３（Ａ）に示すような分類表に従って、顔画像を解析することにより、ユーザーがいずれの年齢層（６０歳以上、等）に属するのか決定する。同様に、性別推定部１２２は、図３（Ｂ）に示すような分類表に従って、顔画像を解析することにより、ユーザーがいずれの性別（男性、女性）に属するのか決定する。また、距離推定部１２３は、図３（Ｃ）に示すような分類表に従って、顔画像の解析することにより、ユーザーの顔と情報端末１００の距離がいずれの程度（近距離、中距離、遠距離）に属するのか決定する。
【０１１８】
それから、特徴抽出部１０２は、各推定部（１２１〜１２３）で推定されたユーザーの特徴（年齢、性別、距離）を、図４（Ａ）に示す特徴データ４００の形式で管理サーバー２００へ通信部１０６を介して送信する（ステップＳ１０５）。
【０１１９】
特徴データ４００を送信後、印刷設定部１０５は、図７に示す視認状態データ９００が送られてきたか判断する（ステップＳ１０６）。視認状態データ９００が送られてこない場合（ステップＳ１０６：Ｎｏ）、印刷設定部１０５は、管理サーバー２００から、視認状態データ９００が送られてくるまで待機する。
【０１２０】
そして、印刷設定部１０５は、視認状態データ９００を受信すると（ステップＳ１０６：Ｙｅｓ）、処理をステップＳ１０７へ移行する。
【０１２１】
印刷設定部１０５は、ユーザーが所定の状態（本実施形態では、老視の状態）であるか否か判別する（ステップＳ１０７）。たとえば、ステップＳ１０７において、印刷設定部１０５は、管理サーバー２００から受信した視認状態データ９００から、老視の確率９２０を抽出する。そして、印刷設定部１０５は、老視の確率９２０が所定の閾値（たとえば、６０％）以上である場合に、ユーザーは老視の状態であると判定し、老視の確率９２０が所定の閾値未満である場合に、ユーザーは老視の状態ではないと判定する。
【０１２２】
印刷設定部１０５は、ユーザーが老視の状態ではないと判定した場合には（ステップＳ１０７：Ｎｏ）、処理をステップＳ１１４へ移行する。
【０１２３】
一方、印刷設定部１０５は、ユーザーが老視の状態であると判定した場合には（ステップＳ１０７：Ｙｅｓ）、処理をステップＳ１０８へ移行する。
【０１２４】
印刷設定部１０５は、ユーザーの視認状態に適した印刷設定があることを通知する（ステップＳ１０８）。たとえば、ステップＳ１０８において、印刷設定部１０５は、ユーザーの視認状態に適した印刷設定があることを通知するための画面（「通知画面」ともいう）を表示部１０３に表示させる。図９（Ａ）に示すように、通知画面には、「おすすめの印刷設定があります。」等のメッセージ５１が表示される。また、通知画面には、ユーザーの視認状態に応じて印刷条件の初期値を設定するか否かについて確認するための構成が設けられる。たとえば、図示するように、通知画面には、「おすすめ印刷設定しますか？」等のメッセージに加え、はいボタン５２、いいえボタン５３が設けられる。
【０１２５】
そして、印刷設定部１０５は、はいボタン５２を選択する指示が入力部１０４を介して入力されたか判断する（ステップＳ１０９）。
【０１２６】
ここで、いいえボタン５３を選択する指示がされると、印刷設定部１０５は、ユーザーの視認状態に応じて印刷条件の初期値を設定する指示はないと判定し（ステップＳ１０９：Ｎｏ）、処理をステップＳ１１４へ移行する。
【０１２７】
一方、はいボタン５２を選択する指示がされると、印刷設定部１０５は、ユーザーの視認状態に応じて印刷条件の初期値を設定する指示があったと判定し（ステップＳ１０９：Ｙｅｓ）、処理をステップＳ１１０へ移行する。
【０１２８】
印刷設定部１０５は、印刷条件の初期値として予め登録してある値を用いずに、ユーザーの視認状態に応じて、印刷条件の初期値（デフォルト値）を設定する（ステップＳ１１０）。たとえば、ステップＳ１１０において、印刷設定部１０５は、ユーザーが老視状態であることを考慮して、表示の拡大率についての初期値（たとえば「ズーム  １２０％」）、コントラストについての初期値（たとえば「コントラスト  ２０」）、エッジ強調を行うか否かの初期値（たとえば「エッジ強調  あり」）、について設定する。
【０１２９】
これとともに、印刷設定部１０５は、後述する通常の印刷設定画面とは異なる印刷設定画面（「おすすめ印刷設定画面」とよぶ）を表示部１０３に表示させる（ステップＳ１１１）。本実施形態のステップＳ１１１では、図９（Ｂ）に示すように、印刷設定部１０５は、老視状態のユーザー向けの印刷設定画面を表示部１０３に表示させる。たとえば、老視状態のユーザー向けの印刷設定画面では、老視状態のユーザーが優先的に設定しそうな所定の印刷条件の項目が上位に表示される。図示する例では、ズーム、コントラスト、エッジ強調といった項目が上位に表示されている。また、老視状態のユーザー向けの印刷設定画面には、ステップＳ１１０で設定された各印刷条件の初期値も表示される。このとき表示される初期値は、ユーザーの視認状態に適した値となっているため、ユーザーは、ステップＳ１１０で設定された初期値をそのまま（変更せずに）印刷時の設定値として利用でき、印刷条件の設定にかかる作業は軽減される。
【０１３０】
なお、ステップＳ１１１でおすすめ印刷設定画面を表示させた状態において、印刷設定部１０５は、入力部１０４を介して印刷設定の変更を受け付けている。
【０１３１】
そして、印刷設定部１０５は、印刷実行の指示を受け付けると、おすすめ印刷設定画面で受け付けた印刷設定で印刷を行うための印刷ジョブを生成し、印刷装置３００へ送信する（ステップＳ１１２）。このとき、印刷装置３００は、通信部３０１で印刷ジョブを受信し、印刷実行部３０２は、情報端末１００側で設定された印刷設定で印刷を行う。
【０１３２】
それから、印刷設定部１０５は、ステップＳ１０９でユーザーから受け付けた指示結果（すなわち、ユーザーの視認状態に応じて印刷条件の初期値を設定するか否かについての指示結果）を、図４（Ｂ）に示す指示結果データ５００の形式で管理サーバー２００へ送信する（ステップＳ１１３）。さらに、印刷設定部１０５は、おすすめ印刷設定画面（あるいは、通常の印刷設定画面）で受け付けた印刷設定の値（印刷条件ごとの設定値）を、図４（Ｃ）に示す印刷設定データ６００の形式で管理サーバー２００へ送信する。
【０１３３】
指示結果データ５００、印刷設定データ６００を送信後、印刷設定部１０５は、本フローを終了する。
【０１３４】
ところで、上記のステップＳ１０２、ステップＳ１０７、ステップＳ１０９のいずれかからステップＳ１１４へ移行すると、印刷設定部１０５は、通常の印刷にかかる印刷条件の初期値（デフォルト値）として予め登録してある値を所定の記憶装置から読み出し、そのまま印刷条件の初期値として設定する（ステップＳ１１４）。
【０１３５】
これとともに、印刷設定部１０５は、通常の印刷設定画面を表示部１０３に表示させる（ステップＳ１１５）。本実施形態のステップＳ１１５では、図９（Ｃ）に示すように、印刷設定部１０５は、通常のユーザー向けの印刷設定画面を表示部１０３に表示させる。
【０１３６】
たとえば、通常の印刷設定画面では、用紙サイズ、印刷用紙、カラー、印刷部数、などの印刷条件の項目が表示される。
【０１３７】
また、通常の印刷設定画面には、ステップＳ１１４で設定された各印刷条件の初期値も表示される。
【０１３８】
そして、印刷設定部１０５は、印刷実行の指示を受け付けると、処理をステップＳ１１２へ移行する。
【０１３９】
以上の印刷設定処理を情報端末１００で行うことにより、ユーザーの視認状態（たとえば、ユーザーが老視状態であるか否か）に応じて、印刷条件の初期値（デフォルト値）を設定することができる。これにより、ユーザーは印刷設定部１０５で設定された初期値をそのまま（変更せずに）印刷時の設定値として利用でき、印刷条件の設定にかかる作業は軽減される。
【０１４０】
また、上記の印刷設定処理では、印刷設定画面の表示態様を、ユーザーの視認状態に応じて異ならせている。そのため、ユーザーの視認状態に適した印刷設定画面を表示する（たとえば、老視状態のユーザーが優先的に設定しそうな所定の印刷条件の項目を上位に表示する）ことができ、印刷条件の項目を探すユーザーの手間などが省ける。
【０１４１】
＜第１実施形態の視認状態特定処理＞
次に、第１実施形態の管理サーバー２００で行われる視認状態特定処理について説明する。視認状態特定処理では、管理サーバー２００は、図８に示すステップＳ１０５において情報端末１００が送信した特徴データ４００を受信してから、ステップＳ１０６のために情報端末１００に視認状態データ９００を送信するまでの処理を実行する。
【０１４２】
図１０は、視認状態特定処理の一例を示すフローチャートである。
【０１４３】
管理サーバー２００の視認状態予測部２０２は、たとえば、電源投入時に本フローを開始する。
【０１４４】
本フローが開始されると、視認状態予測部２０２は、特徴データ４００を受信したか判断する（ステップＳ２０１）。視認状態予測部２０２は、特徴データ４００を受信しない場合（ステップＳ２０１：Ｎｏ）、受信するまで待機している。ここで、特徴データ４００は、上記のステップＳ１０５で情報端末１００から送信されるデータである。
【０１４５】
そして、視認状態予測部２０２は、通信部２０１を介して特徴データ４００を受信すると（ステップＳ２０１：Ｙｅｓ）、処理をステップＳ２０２へ移行する。
【０１４６】
視認状態予測部２０２は、ステップＳ２０１で受信した特徴データ４００を記憶する(ステップＳ２０２)。たとえば、ステップＳ２０２において、視認状態予測部２０２は、特徴データ４００に含まれる識別情報（ＩＤ）４１０と、年齢４２０と、性別４３０と、距離４４０と、を対応付けたレコード７７０を生成し、集計データ７００にエントリーする。
【０１４７】
次に、視認状態予測部２０２は、特徴データ４００を送信してきたユーザーの視認状態を特定する（ステップＳ２０３）。たとえば、ステップＳ２０３において、視認状態予測部２０２は、ユーザーが老視状態である確率を求める。具体的には、視認状態予測部２０２は、まず、ステップＳ２０１で受信した特徴データ４００に含まれる年齢４２０、性別４３０および距離４４０の組み合わせに相当する年齢８１０、性別８２０、距離８３０の組み合わせを、統計データ８００から検索する。次に、視認状態予測部２０２は、検索された年齢８１０、性別８２０、距離８３０の組み合わせに対応付けられている確率８４０を、統計データ８００から特定する。そして、視認状態予測部２０２は、特定した確率８４０を、ユーザーが老視状態である確率として決定する。
【０１４８】
それから、視認状態予測部２０２は、ステップＳ２０３で特定されたユーザーの視認状態（たとえば、ユーザーが老視状態である確率）を、図７に示す視認状態データ９００の形式で情報端末１００へ通信部２０１を介して送信する（ステップＳ２０４）。
【０１４９】
視認状態データ９００を送信後、視認状態予測部２０２は、本フローを終了する。
【０１５０】
以上の視認状態特定処理を管理サーバー２００で行うことにより、多くのユーザーについての特徴を集計することができる（集計データ７００を生成することができる）。また、集計データ７００から得られる統計データ８００に基づいてユーザーの視認状態を予測しているため、集計データ７００に蓄積される情報量が増加するほど、視認状態の予測精度を高めることができる。
【０１５１】
＜第１実施形態の統計データ蓄積処理＞
次に、第１実施形態の管理サーバー２００で行われる統計データ蓄積処理について説明する。統計データ蓄積処理では、管理サーバー２００は、図８のステップＳ１１３において情報端末１００が送信した指示結果データ５００および印刷設定データ６００を受信し、統計的に蓄積する。
【０１５２】
図１１は、統計データ蓄積処理の一例を示すフローチャートである。
【０１５３】
管理サーバー２００の視認状態予測部２０２は、たとえば、電源投入時に本フローを開始する。
【０１５４】
本フローが開始されると、視認状態予測部２０２は、指示結果データ５００と印刷設定データ６００を受信したか判断する（ステップＳ３０１）。視認状態予測部２０２は、指示結果データ５００と印刷設定データ６００を受信しない場合（ステップＳ３０１：Ｎｏ）、受信するまで待機している。指示結果データ５００と印刷設定データ６００は、上記のステップＳ１１３で情報端末１００から送信されるデータである。
【０１５５】
そして、視認状態予測部２０２は、通信部２０１を介して指示結果データ５００と印刷設定データ６００を受信すると（ステップＳ３０１：Ｙｅｓ）、処理をステップＳ３０２へ移行する。
【０１５６】
視認状態予測部２０２は、ステップＳ３０１で受信した指示結果データ５００と印刷設定データ６００を記憶する(ステップＳ３０２)。たとえば、ステップＳ３０２において、視認状態予測部２０２は、まず、指示結果データ５００の識別情報（ＩＤ）５１０に対応するデータを有するレコード７７０を、集計データ７００から検索する。そして、視認状態予測部２０２は、検索したレコード７７０に、指示結果データ５００の指示結果５２０を記憶する（指示結果７５０）。
【０１５７】
同様に、視認状態予測部３０２は、印刷設定データ６００の識別情報（ＩＤ）６１０に対応するデータを有するレコード７７０を、集計データ７００から検索する。そして、視認状態予測部２０２は、検索したレコード７７０に、印刷設定データ６００の印刷設定値６２０を記憶する（印刷設定値７６０）。これにより、集計データ７００では、先に上記のステップＳ２０２で記憶した年齢４２０、性別４３０、距離４４０と、指示結果５２０と、印刷設定値６２０と、が対応付けられる（７２０〜７６０）。
【０１５８】
それから、視認状態予測部２０２は、統計データ８００を更新する（ステップＳ３０３）。たとえば、視認状態予測部２０２は、ステップＳ３０２で指示結果７５０が追加されたレコード７７０を集計データ７００から検索し、検索したレコード７７０に含まれる年齢７２０、性別７３０、距離７４０の組み合わせを特定する。それから、視認状態予測部２０２は、特定した年齢７２０、性別７３０、距離７４０の組み合わせに相当する年齢８１０、性別８２０、距離８３０の組み合わせを、統計データ８００から検索する。そして、視認状態予測部２０２は、検索された年齢８１０と、性別８２０と、距離８３０との組み合わせに対応付けられている確率８４０を、ステップＳ３０２で追加された指示結果７５０に基づき更新する。
【０１５９】
具体的には、視認状態予測部２０２は、同一の特徴（年齢８１０、性別８２０、距離８３０）をもつユーザー（総数）のうち、印刷条件の初期値を変更する指示をした(指示結果７５０が「した」である)ユーザー（数）の割合を求めればよい。したがって、指示結果７５０が「した」であれば確率８４０は上がり、指示結果７５０が「しない」であれば確率８４０は下がる。
【０１６０】
その後、視認状態予測部２０２は、本フローを終了する。
【０１６１】
以上の統計データ蓄積処理を管理サーバー２００で行うことにより、集計データ７００にユーザーからのフィードバック情報（指示結果７５０）が追加される毎に、統計データ８００を更新することができる。これより、統計データ８００は最新の状態に保たれる。そして、上記のステップＳ２０３では、最新の統計データ８００に基づいてユーザーの視認状態を予測（特定）できるため、予測精度も向上する。
【０１６２】
また、視認状態予測部２０２は、ユーザーの特徴(年齢、性別、距離)だけでなく、過去に同特徴のユーザーがどのような選択をしたのか確認する（すなわち、指示結果７５０に基づいて確率８４０が決められる）ため、予測精度が高い。
【０１６３】
（第２実施形態）
次に、本発明の第２実施形態について説明する。第２実施形態は、上述した第１実施形態の印刷システム１の変形例である。
【０１６４】
上述した第１実施形態では、管理サーバー２００の視認状態予測部２０２は、ユーザーが老視状態である確率を求めることによって、ユーザーの視認状態を予測している。そして、情報端末１００では、老視状態のユーザー向けに、印刷条件の初期値（デフォルト値）を設定している。
【０１６５】
これに対し、第２実施形態では、視認状態予測部２０２は、ユーザーが若年層の標準的な視状態にある確率を求めることによって、ユーザーの視認状態を予測する。そして、情報端末１００では、若年層の視状態にあるユーザー向けに、印刷条件の初期値を設定する。
【０１６６】
なお、第２実施形態の印刷システム１は、第１実施形態と同様のハードウェア構成、機能構成からなり、第１実施形態の印刷システム１とは動作が異なる。以下、第２実施形態の説明は、第１実施形態と異なる部分を中心に説明する。
【０１６７】
＜第２実施形態の印刷設定処理＞
図１２は、第２実施形態にかかる印刷設定処理の一例を示すフローチャートである。
【０１６８】
第２実施形態のステップＳ４０１〜４０３は、第１実施形態のステップＳ１０１〜Ｓ１０３と同様の処理なので説明を省略し、ステップＳ４０４から説明する。
【０１６９】
第２実施形態のステップＳ４０４では、特徴抽出部１０２の年齢推定部１２１は、第１実施形態と同様に、ユーザーがいずれの年齢層に属するのか決定する（ステップＳ４０４）。しかし、第２実施形態では、性別推定部１２２による性別の推定や、距離推定部１２３による距離の推定は行われない。
【０１７０】
そして、特徴抽出部１０２は、年齢推定部１２１で推定されたユーザーの年齢を、図１３（Ａ）に示す第２実施形態の年齢データ１０００の形式で管理サーバー２００へ通信部１０６を介して送信する（ステップＳ４０５）。
【０１７１】
図１３（Ａ）は、年齢データ１０００の概略データ構造の一例を示す図である。図示するように、年齢データ１０００は、識別情報（ＩＤ）１０１０と、年齢１０２０と、が少なくとも対応付けられたレコード１０３０を含む。ここで、識別情報１０１０は、年齢データ１０００を管理サーバー２００へ送信する情報端末１００およびユーザーの少なくともいずれかを識別する情報である。年齢１０２０は、年齢推定部１２１によって推定されたユーザーの年齢層を示すデータである。
【０１７２】
なお、第２実施形態では、ユーザーの年齢層を、図３（Ａ）に示すように分類せずに、たとえば、１０歳未満の年齢層、１０歳以上２０歳未満の年齢層、２０歳以上３０歳未満の年齢層、３０歳以上の年齢層、のように分類してもよい。
【０１７３】
そして、第２実施形態のステップＳ４０６では、印刷設定部１０５は、管理サーバー３００から、図１３（Ｂ）に示す第２実施形態の視認状態データ１１００が送られてくるまで待機する（ステップＳ４０６：Ｎｏ）。
【０１７４】
図１３（Ｂ）は、第２実施形態の視認状態データの概略データ構造の一例を示す図である。
【０１７５】
図示するように、第２実施形態の視認状態データ１１００は、識別情報（ＩＤ）１１１０と、若年層の視状態である確率１１２０と、が少なくとも対応付けられたレコード１１３０を含む。ここで、識別情報１１１０は、視認状態データ１１００を受信する情報端末１００およびユーザーの少なくともいずれかを識別する情報である。若年層の視状態である確率１１２０は、管理サーバー２００の視認状態予測部２０２によって求められた確率である。
【０１７６】
そして、印刷設定部１０５は、視認状態データ１１００を受信すると（ステップＳ４０６：Ｙｅｓ）、処理をステップＳ４０７へ移行する。
【０１７７】
印刷設定部１０５は、ユーザーが所定の状態（第２実施形態では、若年層の視状態）であるか否か判別する（ステップＳ４０７）。たとえば、ステップＳ４０７において、印刷設定部１０５は、管理サーバー３００から受信した視認状態データ１１００から、若年層の視状態である確率１１２０を抽出する。そして、印刷設定部１０５は、若年層の視状態である確率１１２０が所定の閾値（たとえば、６０％）以上である場合に、ユーザーは若年層の視状態であると判定し、若年層の視状態の確率１１２０が所定の閾値未満である場合に、ユーザーは若年層の視状態ではないと判定する。
【０１７８】
印刷設定部１０５は、ユーザーが若年層の視状態ではないと判定した場合には（ステップＳ４０７：Ｎｏ）、処理をステップＳ４１４へ移行する。
【０１７９】
一方、印刷設定部１０５は、ユーザーが若年層の視状態であると判定した場合には（ステップＳ４０７：Ｙｅｓ）、処理をステップＳ４０８へ移行する。
【０１８０】
第２実施形態のステップＳ４０８〜４０９については、第１実施形態のステップＳ１０８〜Ｓ１０９と同様の処理なので、説明を省略する。
【０１８１】
処理がステップＳ４１０へ移行すると、印刷設定部１０５は、印刷条件の初期値として予め登録してある値を用いずに、ユーザーの視認状態に応じて、印刷条件の初期値（デフォルト値）を設定する（ステップＳ４１０）。たとえば、ステップＳ４１０において、印刷設定部１０５は、ユーザーが若年層の視状態であることを考慮して、印刷の種類についての初期値（たとえば「印刷種類  両面」）、ページ割付についての初期値（たとえば「ページ割付  ２ｉｎ１」）、トナー節約についての初期値（たとえば「トナー節約  オン」）、カラーについての初期値（たとえば「カラー  グレースケール」）、について設定する。
【０１８２】
これとともに、印刷設定部１０５は、図９（Ｃ）に示す通常の印刷設定画面とは異なる第２実施形態のおすすめ印刷設定画面を表示部１０３に表示させる（ステップＳ４１１）。
【０１８３】
図１４は、第２実施形態にかかるおすすめ印刷設定画面の一例を示す図である。図示するように、第２実施形態のステップＳ４１１では、印刷設定部１０５は、若年層のユーザー向けの印刷設定画面を表示部１０３に表示させる。
【０１８４】
たとえば、若年層のユーザー向けの印刷設定画面では、若年層のユーザーが優先的に設定しそうな所定の印刷条件（たとえば、いわゆる「エコ設定」のための印刷条件）の項目が上位に表示される。図示する例では、印刷種類、ページ割付、トナー節約、カラーといった項目が上位に表示されている。
【０１８５】
また、若年層のユーザー向けの印刷設定画面には、ステップＳ４１０で設定された各印刷条件の初期値も表示される。このとき表示される初期値は、ユーザーの視認状態に適した値となっているため、ユーザーは、ステップＳ４１０で設定された初期値をそのまま（変更せずに）印刷時の設定値として利用でき、印刷条件の設定にかかる作業は軽減される。
【０１８６】
なお、第２実施形態のステップＳ４１２〜４１５は、第１実施形態のステップＳ１１２〜Ｓ１１５と同様の処理なので、説明を省略する。
【０１８７】
以上の第２実施形態の印刷設定処理を情報端末１００で行うことにより、ユーザーが若年層の視状態であるか否かに応じて、印刷条件の初期値（デフォルト値）を設定することができる。これにより、若年層の視状態であるユーザーは印刷設定部１０５で設定された初期値をそのまま（変更せずに）印刷時の設定値として利用でき、印刷条件の設定にかかる作業は軽減される。
【０１８８】
また、第２実施形態の印刷設定処理では、印刷設定画面の表示態様を、ユーザーが若年層の視状態であるか否かに応じて異ならせている。そのため、若年層の視状態であるユーザーが優先的に設定しそうな所定の印刷条件の項目を上位に表示させることができ、印刷条件の項目を探すユーザーの手間などが省ける。
【０１８９】
なお、第２実施形態で用いられる集計データおよび統計データは、第１実施形態の集計データ７００、統計データ８００とはデータ構造が異なる。
【０１９０】
たとえば、第２実施形態で用いられる集計データは、第１実施形態の集計データ７００に含まれる性別７３０と距離７４０が除かれたデータである。
【０１９１】
また、第２実施形態で用いられる統計データは、第１実施形態の統計データ８００に含まれる性別８２０、距離８３０が除かれたデータである。
【０１９２】
そして、これらの集計データおよび統計データは、第１実施形態と同様の処理（視認状態特定処理、統計データ蓄積処理）によって、管理サーバー２００の視認状態予測部２０２によって生成、更新される。
【０１９３】
なお、上記した第１実施形態と第２実施形態における各フローチャートの処理単位は、印刷システム１を理解容易にするために、主な処理内容に応じて分割したものである。処理ステップの分類の仕方やその名称によって、本願発明が制限されることはない。印刷システム１で行われる処理は、さらに多くの処理ステップに分割することもできる。また、１つの処理ステップが、さらに多くの処理を実行してもよい。
（変形例）
また、上記各実施形態は、本発明の要旨を例示することを意図し、本発明を限定するものではない。多くの代替物、修正、変形例は当業者にとって明らかである。
【０１９４】
たとえば、上記各実施形態では、印刷システム１は、情報端末１００と、管理サーバー２００と、印刷装置３００と、を含む構成としている。しかし、本発明は、この構成に限定されない。たとえば、情報端末１００に管理サーバー２００の機能をもたせ、印刷システム１には管理サーバー２００がなくてもよい。また、印刷装置３００に情報端末１００と管理サーバー２００の機能をもたせ、印刷システム１は印刷装置３００そのものとしてもよい。また、情報端末１００の一部の機能（たとえば、特徴抽出部１０２）を他の装置（管理サーバー２００など）に設けるようにしてもよいし、管理サーバー２００の一部の機能を他の装置（図示しない情報処理装置など）に設けるようにしてもよい。
【０１９５】
また、上記第１実施形態では、ユーザーの視認状態を、ユーザーが老視状態である確率としており、上記第２実施形態では、ユーザーが若年層の標準的な視状態にある確率としている。しかし、上各記実施形態では単に例示しているにすぎず、本発明の視認状態には他の状態も含むものとする。たとえば、ユーザーの視認状態には、ユーザーが近視の状態、遠視の状態、斜視の状態、色覚異常な状態などさまざまな状態が含まれる。
【０１９６】
また、上記第１実施形態では、老視状態のユーザーが優先的に設定しそうな印刷条件として、ズーム、コントラスト、エッジ強調といった印刷条件を挙げている。しかし、本発明は、これに限られず、他の印刷条件を追加してもよいし、ズーム、コントラスト、およびエッジ強調のなかからいくつかの印刷条件を除いてもよい。
【０１９７】
同様に、上記第２実施形態では、若年層のユーザーが優先的に設定しそうな印刷条件として、印刷種類、ページ割付、トナー節約、カラーといった印刷条件を挙げている。しかし、本発明は、これに限られず、他の印刷条件を追加してもよいし、印刷種類、ページ割付、トナー節約、カラーのなかからいくつかの印刷条件を除いてもよい。項目が上位に表示されている。
【０１９８】
また、上記各実施形態の各種データの構造は単なる例示であり他の構造であってもよい。
【０１９９】
また、上記各実施形態では、情報端末１００は、カメラで撮像することよってユーザーの顔画像を取得しているが、これに限定されない。たとえば、情報端末１００は、所定の記憶装置に予め記憶されているユーザーの顔画像を読み出すことによって、顔画像を取得してもよいし、ネットワークを介してユーザーの顔画像を取得してもよい。
【０２００】
以上の印刷システム１の構成は、上記の各実施形態の特徴を説明するにあたって主要構成を説明したのであって、上記の構成に限られない。また、一般的な情報端末１００、（管理）サーバー２００、印刷装置３００が備える構成を排除するものではない。
【０２０１】
また、上記した印刷システム１の各機能構成は、各機能構成を理解容易にするために、主な処理内容に応じて分類したものである。構成要素の分類の仕方や名称によって、本願発明が制限されることはない。各機能構成は、処理内容に応じて、さらに多くの構成要素に分類することもできる。また、１つの構成要素がさらに多くの処理を実行するように分類することもできる。
【０２０２】
また、情報端末１００、管理サーバー２００、印刷装置３００を動作させるプログラムは、ＵＳＢメモリー、フロッピー（登録商標）ディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやＨＤＤ等に転送され記憶される。また、このプログラムは、たとえば、単独のアプリケーションソフトとして提供されてもよいし、情報端末１００、管理サーバー２００、印刷装置３００の一機能としてその装置のソフトウェアに組み込んでもよい。
【０２０３】
また、上記の各構成要素の処理は、専用のハードウェア回路によっても実現することもできる。この場合には、１つのハードウェアで実行されてもよいし、複数のハードウェアで実行されてもよい。
【符号の説明】
【０２０４】
１  印刷システム、
１００  情報端末、
１０１  撮像部、
１０２  特徴抽出部、
１０３  入力部、
１０４  表示部、
１０５  印刷設定部、
１０６  通信部（情報端末）、
２００  管理サーバー、
２０１  通信部（管理サーバー）
２０２  視認状態予測部、
２０３  統計情報記憶部、
３００  印刷装置、
３０１  通信部（印刷装置）、
３０２  印刷実行部、
４００  特徴データ、
５００  指示結果データ、
６００  印刷設定データ、
７００  集計データ、
８００  統計データ、
９００  視認状態データ（第１実施形態）、
１０００  年齢データ、
１１００  視認状態データ（第２実施形態）。
【図１】
2013235445.tif 000003
【図２】
2013235445.tif 000004
【図３】
2013235445.tif 000005
【図４】
2013235445.tif 000006
【図５】
2013235445.tif 000007
【図６】
2013235445.tif 000008
【図７】
2013235445.tif 000009
【図８】
2013235445.tif 000010
【図９】
2013235445.tif 000011
【図１０】
2013235445.tif 000012
【図１１】
2013235445.tif 000013
【図１２】
2013235445.tif 000014
【図１３】
2013235445.tif 000015
【図１４】
2013235445.tif 000016